(57)【要約】【課題】実行された動作プランを瞬時に判断でき、且つ実行された複数の動作プランの中から所望の動作プランを容易に選択することが可能なＸ線ＣＴ装置及び表示装置を提供する。【解決手段】実施形態のＸ線ＣＴ装置は、被検体をＸ線スキャンするスキャン条件を含む動作プランに基づいてＸ線スキャンを行う。Ｘ線ＣＴ装置は、作成部と、表示制御部とを有する。作成部は、一の被検体に対して実行された複数の動作プランそれぞれの内容を示すプラン情報のリストを作成する。表示制御部は、作成されたリストを表示部に表示させる。【選択図】図３Ｂ
2014061271.tif 000002
【特許請求の範囲】
【請求項１】
被検体をＸ線スキャンするスキャン条件を含む動作プランに基づいて前記Ｘ線スキャンを行うＸ線ＣＴ装置であって、
一の被検体に対して実行された複数の前記動作プランそれぞれの内容を示すプラン情報を受けて、リストを作成する作成部と、
作成された前記リストを表示部に表示させる表示制御部と、
を有することを特徴とするＸ線ＣＴ装置。
【請求項２】
前記動作プランに含まれる再構成処理条件に基づいて、前記Ｘ線スキャンにより取得された検出データに対応する投影データを再構成処理し、ＣＴ画像データを作成する再構成処理部を有し、
前記表示制御部は、前記リストから所望の第１のプラン情報が選択された場合、前記第１のプラン情報に対応する第１の動作プランによる前記Ｘ線スキャンに基づく第１のＣＴ画像、及び前記第１のＣＴ画像を作成する際に使用した前記第１の動作プランに含まれる第１の再構成処理条件を前記表示部に表示させることを特徴とする請求項１記載のＸ線ＣＴ装置。
【請求項３】
前記表示部に表示された前記第１の再構成処理条件を変更する変更部を有し、
前記表示制御部は、前記リストから前記第１のプラン情報とは異なる第２のプラン情報が選択された場合、前記第２のプラン情報に対応する第２の動作プランによる前記Ｘ線スキャンに基づく第２のＣＴ画像、及び変更された前記第１の再構成処理条件を前記表示部に表示させることを特徴とする請求項２記載のＸ線ＣＴ装置。
【請求項４】
前記表示制御部は、前記リストから前記第１のプラン情報とは異なる第２のプラン情報が選択された場合、前記第２のプラン情報に対応する第２の動作プランによる前記Ｘ線スキャンに基づく第２のＣＴ画像、及び前記第１の再構成処理条件を前記表示部に表示させることを特徴とする請求項２記載のＸ線ＣＴ装置。
【請求項５】
前記リストから前記第２のプラン情報が選択された場合、前記再構成処理部は、前記第２のＣＴ画像を構成する前記投影データを、変更された前記第１の再構成処理条件に基づいて改めて再構成処理することにより、新たなＣＴ画像データを作成し、
前記表示制御部は、前記新たなＣＴ画像データに基づく第３のＣＴ画像を前記表示部に表示させることを特徴とする請求項３記載のＸ線ＣＴ装置。
【請求項６】
前記リストから前記第２のプラン情報が選択された場合、前記再構成処理部は、前記第２のＣＴ画像を構成する前記投影データを、前記第１の再構成処理条件に基づいて改めて再構成処理することにより、新たなＣＴ画像データを作成し、
前記表示制御部は、前記新たなＣＴ画像データに基づく第３のＣＴ画像を前記表示部に表示させることを特徴とする請求項４記載のＸ線ＣＴ装置。
【請求項７】
前記表示制御部は、前記第２のＣＴ画像と、前記第３のＣＴ画像とを前記表示部に並列表示させることを特徴とする請求項５又は請求項６記載のＸ線ＣＴ装置。
【請求項８】
一の被検体に対して実行された、当該被検体をＸ線スキャンするスキャン条件を含む複数の動作プランそれぞれの内容を示すプラン情報を受けて、リストを作成する作成部と、
表示部と、
作成された前記リストを前記表示部に表示させる表示制御部と、
を有することを特徴とする表示装置。
【発明の詳細な説明】
【技術分野】
【０００１】
本発明の実施形態は、Ｘ線ＣＴ装置及び表示装置に関する。
【背景技術】
【０００２】
Ｘ線ＣＴ（Ｃｏｍｐｕｔｅｄ  Ｔｏｍｏｇｒａｐｈｙ）装置は、Ｘ線を利用して被検体をスキャンし、収集されたデータをコンピュータにより処理することで、被検体の内部を画像化する装置である。
【０００３】
具体的には、Ｘ線ＣＴ装置は、被検体に対してＸ線を異なる方向から複数回曝射し、被検体を透過したＸ線をＸ線検出器にて検出して複数の検出データを収集する。収集された検出データはデータ収集部によりＡ／Ｄ変換された後、コンソール装置に送信される。コンソール装置は、当該検出データに前処理等を施し投影データを作成する。そして、コンソール装置は、投影データに基づく再構成処理を行い、断層画像データ、或いは複数の断層画像データに基づくボリュームデータを作成する。
【０００４】
Ｘ線ＣＴ装置による一連の動作（Ｘ線スキャン、再構成処理等）は、エキスパートプランと呼ばれる動作プランに基づいて行われる。動作プランとしてのエキスパートプランとは、スキャン条件や再構成処理条件等が含まれる情報である。スキャン条件とは、スキャンモード（マルチスライス、ヘリカル等）、管電圧、スライス厚等、Ｘ線スキャンを行う際の条件をいう。再構成処理条件とは、再構成モード（マルチスライス再構成法、バックプロジェクション法等）、再構成視野、再構成関数等、再構成処理を行う際の条件をいう。エキスパートプランは、被検体の部位（たとえば、頭部用、冠動脈用）等に応じ、個別に設けられている。なお、一回の検査において、Ｘ線ＣＴ装置を用いて一の被検体に対して複数のエキスパートプランを実行し、一連の動作を複数回行う場合もある。
【０００５】
また、Ｘ線ＣＴ装置は、Ｘ線スキャンにより取得された検出データ等を確認・処理する画面（以下、「生データページ」という場合がある）を表示部に表示させることができる。生データページでは、検出データ（投影データ）に基づくＣＴ画像の表示や検出データに対する処理（たとえば、再構成処理の再実行）等が行われる。
【先行技術文献】
【特許文献】
【０００６】
【特許文献１】特開２００５−１８５５４９号公報
【発明の概要】
【発明が解決しようとする課題】
【０００７】
ここで、たとえば、術者が生データページに表示されたＣＴ画像を観察しているときに、そのＣＴ画像を得るために実行されたエキスパートプランを知りたい場合がある。この場合、従来は、術者が表示されているＣＴ画像等を参照しながら対応するエキスパートプランを判断していた。すなわち、術者は、実行されたエキスパートプランを瞬時に判断することが困難であった。
【０００８】
また、一の被検体に対して実行したエキスパートプランが複数ある場合、術者は、生データページで所望のエキスパートプランを選択し、そのエキスパートプランにより得られた検出データ等を確認・処理したい場合がある。
【０００９】
実施形態は、前述の問題点を解決するためになされたものであり、実行された動作プランを瞬時に判断でき、且つ実行された複数の動作プランの中から所望の動作プランを容易に選択することが可能なＸ線ＣＴ装置及び表示装置を提供することを目的とする。
【課題を解決するための手段】
【００１０】
実施形態のＸ線ＣＴ装置は、被検体をＸ線スキャンするスキャン条件を含む動作プランに基づいてＸ線スキャンを行う。Ｘ線ＣＴ装置は、作成部と、表示制御部とを有する。作成部は、一の被検体に対して実行された複数の動作プランそれぞれの内容を示すプラン情報のリストを作成する。表示制御部は、作成されたリストを表示部に表示させる。
【図面の簡単な説明】
【００１１】
【図１】第１実施形態に係るＸ線ＣＴ装置のブロック図である。
【図２】第１実施形態に係るリストの例を示す図である。
【図３Ａ】第１実施形態に係る生データページを説明する模式図である。
【図３Ｂ】第１実施形態に係る生データページを説明する模式図である。
【図３Ｃ】第１実施形態に係る生データページを説明する模式図である。
【図４】第１実施形態に係るＸ線ＣＴ装置の動作の概要を示すフローチャートである。
【図５】第２実施形態に係るＸ線ＣＴ装置のブロック図である。
【図６Ａ】第２実施形態に係る生データページを説明する模式図である。
【図６Ｂ】第２実施形態に係る生データページを説明する模式図である。
【図６Ｃ】第２実施形態に係る生データページを説明する模式図である。
【図７】第２実施形態に係るＸ線ＣＴ装置の動作の概要を示すフローチャートである。
【図８Ａ】変形例１に係る生データページを説明する模式図である。
【図８Ｂ】変形例１に係る生データページを説明する模式図である。
【図９】変形例２に係る生データページを説明する模式図である。
【図１０】変形例３に係るＸ線ＣＴ装置の動作の概要を示すフローチャートである。
【発明を実施するための形態】
【００１２】
（第１実施形態）
図１から図４を参照して、第１実施形態に係るＸ線ＣＴ装置１の構成について説明する。
【００１３】
＜装置構成＞
図１に示すように、Ｘ線ＣＴ装置１は、架台装置１０と、寝台装置３０と、コンソール装置４０とを含んで構成されている。
【００１４】
［架台装置］
架台装置１０は、被検体Ｅに対してＸ線を曝射し、被検体Ｅを透過した当該Ｘ線の検出データを収集する装置である。架台装置１０は、Ｘ線発生部１１と、Ｘ線検出部１２と、回転体１３と、高電圧発生部１４と、架台駆動部１５と、Ｘ線絞り部１６と、絞り駆動部１７と、データ収集部１８とを有する。
【００１５】
Ｘ線発生部１１は、Ｘ線を発生させるＸ線管球（たとえば、円錐状や角錐状のビームを発生する真空管。図示なし）を含んで構成されている。発生したＸ線は被検体Ｅに対して曝射される。Ｘ線検出部１２は、複数のＸ線検出素子（図示なし）を含んで構成されている。Ｘ線検出部１２は、被検体Ｅを透過したＸ線の強度分布を示すＸ線強度分布データ（以下、「検出データ」という場合がある）をＸ線検出素子で検出し、その検出データを電流信号として出力する。Ｘ線検出部１２は、たとえば、検出素子が互いに直交する２方向（スライス方向とチャンネル方向）にそれぞれ複数配置された２次元のＸ線検出器（面検出器）が用いられる。複数のＸ線検出素子は、たとえば、スライス方向に沿って３２０列設けられている。このように多列のＸ線検出器を用いることにより、１回転のスキャンでスライス方向に幅を有する３次元の撮影領域を撮影することができる（ボリュームスキャン）。なお、スライス方向は被検体Ｅの体軸方向に相当し、チャンネル方向はＸ線発生部１１の回転方向に相当する。
【００１６】
回転体１３は、Ｘ線発生部１１とＸ線検出部１２とを被検体Ｅを挟んで対向するよう支持する部材である。回転体１３は、スライス方向に貫通した開口部１３ａを有する。架台装置１０内において、回転体１３は、被検体Ｅを中心とした円軌道で回転するよう配置されている。
【００１７】
高電圧発生部１４は、Ｘ線発生部１１に対して高電圧を印加する。Ｘ線発生部１１は、当該高電圧に基づいてＸ線を発生させる。架台駆動部１５は、回転体１３を回転駆動させる。Ｘ線絞り部１６は、所定幅のスリット（開口）を有し、スリットの幅を変えることで、Ｘ線発生部１１から曝射されたＸ線のファン角（チャンネル方向の広がり角）とＸ線のコーン角（スライス方向の広がり角）とを調整する。絞り駆動部１７は、Ｘ線発生部１１で発生したＸ線が所定の形状となるようＸ線絞り部１６を駆動させる。
【００１８】
データ収集部１８（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。また、データ収集部１８は、収集した検出データ（電流信号）を電圧信号に変換し、この電圧信号を周期的に積分して増幅し、デジタル信号に変換する。そして、データ収集部１８は、デジタル信号に変換された検出データをコンソール装置４０（処理部４２（後述））に送信する。
【００１９】
［寝台装置］
寝台装置３０は、撮影対象の被検体Ｅを載置・移動させる装置である。寝台装置３０は、寝台３１と寝台駆動部３２とを備えている。寝台３１は、被検体Ｅを載置するための寝台天板３３と、寝台天板３３を支持する基台３４とを備えている。寝台天板３３は、寝台駆動部３２によって被検体Ｅの体軸方向及び体軸方向に直交する方向に移動することが可能となっている。すなわち、寝台駆動部３２は、被検体Ｅが載置された寝台天板３３を、回転体１３の開口部１３ａに対して挿抜させることができる。基台３４は、寝台駆動部３２によって寝台天板３３を上下方向（被検体Ｅの体軸方向と直交する方向）に移動させることが可能となっている。
【００２０】
［コンソール装置］
コンソール装置４０は、Ｘ線ＣＴ装置１に対する操作入力に用いられる。また、コンソール装置４０は、架台装置１０によって収集された検出データから被検体Ｅの内部形態を表すＣＴ画像データ（断層画像データやボリュームデータ）を再構成する機能等を有している。コンソール装置４０は、スキャン制御部４１と、処理部４２と、作成部４３と、表示制御部４４と、記憶部４５と、表示部４６と、入力部４７と、制御部４８とを含んで構成されている。
【００２１】
スキャン制御部４１、処理部４２、作成部４３、表示制御部４４及び制御部４８は、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの図示しない処理装置と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）や、又はＨＤＤ（Ｈａｒｄ  Ｄｉｓｃ  Ｄｒｉｖｅ）などの図示しない記憶装置とによって構成されている。記憶装置には、各部の機能を実行するための制御プログラムが記憶されている。ＣＰＵなどの処理装置が、記憶装置に記憶されている各プログラムを実行することで各部の機能を実行する。
【００２２】
スキャン制御部４１は、Ｘ線スキャンに関する各種動作を制御する。スキャン制御部４１は、予め設定されたエキスパートプランに含まれるスキャン条件に基づいてＸ線スキャンを実行する。エキスパートプランは、スキャン条件や再構成処理条件等が含まれる動作プラン（撮影プラン、処理プラン、又は実行プラン）である。スキャン条件とは、スキャンモード（マルチスライス、ヘリカル等）、管電圧、スライス厚等、Ｘ線スキャンを行う際の条件をいう。再構成処理条件とは、再構成モード（マルチスライス再構成法、バックプロジェクション法等）、再構成視野、再構成関数等、再構成処理を行う際の条件をいう。エキスパートプランは、被検体の部位（たとえば、頭部用、冠動脈用）等に応じ、個別に設けられている。たとえば、スキャン制御部４１は、Ｘ線発生部１１に対して高電圧を印加させるよう高電圧発生部１４を制御する。スキャン制御部４１は、回転体１３を回転駆動させるよう架台駆動部１５を制御する。スキャン制御部４１は、Ｘ線絞り部１６を動作させるよう絞り駆動部１７を制御する。スキャン制御部４１は、寝台３１を移動させるよう寝台駆動部３２を制御する。
【００２３】
処理部４２は、架台装置１０（データ収集部１８）から送信された検出データに対して各種処理を実行する。処理部４２は、前処理部４２ａと、再構成処理部４２ｂと、レンダリング処理部４２ｃとを含んで構成されている。
【００２４】
前処理部４２ａは、架台装置１０（Ｘ線検出部１２）で検出された検出データに対して対数変換処理、オフセット補正、感度補正、ビームハードニング補正等の前処理を行い、投影データを作成する。
【００２５】
再構成処理部４２ｂは、前処理部４２ａで作成された投影データを再構成処理し、ＣＴ画像データ（断層画像データやボリュームデータ）を作成する。再構成処理部４２ｂは、予め設定されたエキスパートプランに含まれる再構成処理条件Ｒｋ（ｋ＝１〜ｎ）（ｋ，ｎは、自然数。以下、同様）に基づいて再構成処理を実行する。
【００２６】
断層画像データの再構成には、たとえば、２次元フーリエ変換法、コンボリューション・バックプロジェクション法等、任意の方法を採用することができる。ボリュームデータは、再構成された複数の断層画像データを補間処理することにより作成される。ボリュームデータの再構成には、たとえば、コーンビーム再構成法、マルチスライス再構成法、拡大再構成法等、任意の方法を採用することができる。上述のように多列のＸ線検出器を用いたボリュームスキャンにより、広範囲のボリュームデータを再構成することができる。
【００２７】
レンダリング処理部４２ｃは、再構成処理部４２ｂで作成されたボリュームデータに対するレンダリング処理を行う。たとえば、レンダリング処理部４２ｃは、再構成処理部４２ｂで作成されたボリュームデータを任意の方向にレンダリングすることによりＭＰＲ表示する。すなわち、レンダリング処理部４２ｃは、ＭＰＲ画像を作成する。
【００２８】
ここで、本実施形態において、Ｘ線ＣＴ装置１は、一の被検体Ｅに対し複数のエキスパートプランＥＰｋ（ｋ＝１〜ｎ）を順次、実行する。具体的に、スキャン制御部４１は、エキスパートプランＥＰｋに基づいて、Ｘ線スキャンを行う。前処理部４２ａは、エキスパートプランＥＰｋ毎に得られた検出データを前処理し、投影データを作成する。再構成処理部４２ｂは、エキスパートプランＥＰｋに含まれる再構成処理条件Ｒｋに基づいて投影データを再構成処理し、ＣＴ画像データを作成する。制御部４８は、実行されたエキスパートプランＥＰｋと、取得された各種データ（検出データ、投影データ、ＣＴ画像データ）とを関連付けて記憶部４５に記憶させる。Ｘ線ＣＴ装置１は、設定されたエキスパートプランＥＰｋの数に応じて一連の動作を繰り返し行う。なお、一のエキスパートプランＥＰｋにおいて複数回のＸ線スキャンを行う場合もある。また、被検体Ｅに対して実行される複数のエキスパートプランＥＰｋは、Ｘ線スキャンを実行する前に、入力部４７等を介して所望のプランを入力することで設定可能である。或いは、複数のエキスパートプランＥＰｋは、予め決定された複数のプランから所望のプランを選択することにより設定することも可能である。予め決定されたプランは、記憶部４５等に記憶されている。
【００２９】
作成部４３は、一の被検体Ｅに対して実行された複数のエキスパートプランＥＰｋそれぞれの内容を示すプラン情報Ｐｋ（ｋ＝１〜ｎ）のリストＬを作成する。
【００３０】
プラン情報Ｐｋは、対応するエキスパートプランＥＰｋの内容（一部の内容）を示す情報（プラン名）である。プラン情報Ｐｋとしては、術者がその情報をみたときに、対応するエキスパートプランＥＰｋを把握することが可能となる情報（たとえば、被検体Ｅの部位に関する情報、スキャンモード等）が含まれていればよい。
【００３１】
作成部４３は、たとえば、入力部４７等からの指示入力に基づいて、エキスパートプランＥＰｋに含まれる複数の情報の中からプラン情報Ｐｋとして示す情報（たとえば、被検体Ｅをスキャンする部位、スキャンモード等）を特定し、その情報を抽出・加工してプラン情報Ｐｋを作成する。なお、プラン情報Ｐｋとして示す情報は、予め設定されていてもよい。また、作成部４３は、プラン情報Ｐｋごとに示す情報を変更することも可能である（後述）。
【００３２】
また、作成部４３は、実行された複数のエキスパートプランＥＰｋに対応するプラン情報ＰｋのリストＬを作成する。リストＬは、複数のプラン情報Ｐｋが示された一覧である。ここでは、作成部４３が作成したプラン情報Ｐｋをリストにする例について述べたが、作成部４３がプラン情報Ｐｋを作成する必要はない。たとえば、記憶部４５は、装置毎に予め設定されたプラン情報Ｐｋを記憶しておく。そして、作成部４３は、記憶されたプラン情報Ｐｋに基づいてリストＬを作成することも可能である。
【００３３】
図２は、リストＬの一例である。たとえば、５つのエキスパートプランＥＰ１〜ＥＰ５が実行された場合、作成部４３は、各エキスパートプランに対応するプラン情報Ｐ１〜Ｐ５を作成する。そして、作成部４３は、プラン情報Ｐ１〜Ｐ５を示したリストＬを作成する。
【００３４】
たとえば、プラン情報Ｐ１には、「Ｂｒａｉｎ  ＨＣＴ  ５ｍｍ」と示されている。従って、術者は、プラン情報Ｐ１から対応するエキスパートプランＥＰ１（脳に対し、スライス厚５ｍｍでヘリカル（ｈｅｌｉｃａｌ）スキャンを実行するプラン）を瞬時に判断できる。また、複数のプラン情報Ｐ１〜Ｐ５がリストＬとして表示されているため、術者は所望のプラン情報（プラン情報に対応するエキスパートプラン）を容易に選択することが可能となる。
【００３５】
なお、図２に示すリストＬにおいて、上述の通り、作成部４３は、プラン情報Ｐｋごとに示す情報を変えている。すなわち、プラン情報Ｐ１及びプラン情報Ｐ２が示す内容（被検体Ｅをスキャンする部位、スキャンモード、スライス厚）と、それ以外のプラン情報が示す内容とは異なっている。たとえば、プラン情報Ｐ５は、被検体Ｅをスキャンする部位（心臓）及びスキャンモード（ＣＴ血管造影法。Ｃｏｍｐｕｔｅｄ  Ｔｏｍｏｇｒａｐｈｙ  Ａｎｇｉｏｇｒａｐｈｙ：ＣＴＡ）のみを示している。
【００３６】
表示制御部４４は、画像表示に関する各種制御を行う。たとえば、再構成処理部４２ｂで作成されたＣＴ画像データに基づくＣＴ画像を表示部４６に表示させる制御を行う。また、表示制御部４４は、表示部４６の一画面を一ページとし、且つ一ページに複数の表示欄を設けて、各表示欄に異なった情報や画像を表示させることができる。以下に説明する生データページＲＰは、その一例である。
【００３７】
本実施形態において、表示制御部４４は、作成部４３で作成されたリストＬを表示部４６に表示させる。具体例として、表示制御部４４は、表示部４６における生データページＲＰの所定位置にリストＬを表示させる。
【００３８】
また、表示制御部４４は、リストＬから所望の第１のプラン情報が選択された場合、第１のプラン情報に対応する第１のエキスパートプラン（第１の動作プラン）によるＸ線スキャンに基づく第１のＣＴ画像、及び第１のＣＴ画像を作成する際に使用した第１のエキスパートプランに含まれる第１の再構成処理条件を表示部４６に表示させる。
【００３９】
図３Ａ〜図３Ｃは、表示部４６に表示される生データページＲＰを示す模式図である。図３Ａ〜図３Ｃでは、生データページＲＰに表示される情報や画像のうち、一部のみ（リストＬ、スキャン情報Ｓｋ（ｋ＝１〜ｎ）、ＣＴ画像Ａｋ（ｋ＝１〜ｎ）、再構成処理条件Ｒｋ）を示している。
【００４０】
スキャン情報Ｓｋは、プラン情報Ｐｋに対応するエキスパートプランＥＰｋに基づいて実際に実行されたスキャンの結果を示すものである。スキャン情報Ｓｋとしては、たとえば、実際に行われたスキャンの開始位置・終了位置やスキャンの回数等が表示される。ＣＴ画像Ａｋは、選択されたプラン情報Ｐｋに対応するエキスパートプランＥＰｋに含まれる再構成処理条件Ｒｋに基づく画像である。なお、リストＬ、スキャン情報Ｓｋ、ＣＴ画像Ａｋ、及び再構成処理条件Ｒｋの表示は、図３Ａ〜図３Ｃの配置に限られない。
【００４１】
表示制御部４４は、入力部４７等の指示入力に基づいて、生データページＲＰを表示部４６に表示させる。
【００４２】
生データページＲＰの所定欄（図示なし）に患者ＩＤや日付等が入力されると、表示制御部４４は、その患者ＩＤ等に対応するプラン情報Ｐｋを示したリストＬを生データページＲＰに表示させる（図３Ａ参照）。図３Ａに示すリストＬは、ある検査で一の被検体Ｅに対して実行されたエキスパートプランＥＰ１〜ＥＰ５それぞれの内容を示すプラン情報Ｐ１〜Ｐ５を示したものである。
【００４３】
そして、術者が入力部４７等を介して所望のプラン情報Ｐ１を選択した場合、表示制御部４４は、記憶部４５等に記憶されたエキスパートプランＥＰ１に対応するスキャン情報Ｓ１、ＣＴ画像Ａ１、再構成処理条件Ｒ１を表示させる（図３Ｂ参照）。
【００４４】
更に、プラン情報Ｐ１とは異なるプラン情報Ｐ３が選択された場合、表示制御部４４は、エキスパートプランＥＰ３に対応するスキャン情報Ｓ３、ＣＴ画像Ａ３、再構成処理条件Ｒ３を表示させる（図３Ｃ参照）。
【００４５】
上述のプラン情報Ｐ１は、「第１のプラン情報」の一例である。エキスパートプランＥＰ１は、「第１の動作プラン」の一例である。ＣＴ画像Ａ１は、「第１のＣＴ画像」の一例である。再構成処理条件Ｒ１は、「第１の再構成処理条件」の一例である。プラン情報Ｐ３は、「第２のプラン情報」の一例である。エキスパートプランＥＰ３は、「第２の動作プラン」の一例である。ＣＴ画像Ａ３は、「第２のＣＴ画像」の一例である。
【００４６】
記憶部４５は、ＲＡＭやＲＯＭ等の半導体記憶装置によって構成される。記憶部４５は、検出データや投影データ、或いは再構成処理後のＣＴ画像データ等をエキスパートプランと関連付けて記憶する。
【００４７】
表示部４６は、ＬＣＤ（Ｌｉｑｕｉｄ Ｃｒｙｓｔａｌ Ｄｉｓｐｌａｙ）やＣＲＴ（Ｃａｔｈｏｄｅ Ｒａｙ Ｔｕｂｅ）ディスプレイ等の任意の表示デバイスによって構成される。表示部４６には、たとえば、生データページが表示される。
【００４８】
入力部４７は、コンソール装置４０に対する各種操作を行う入力デバイスとして用いられる。入力部４７は、たとえばキーボード、マウス、トラックボール、ジョイスティック等により構成される。また、入力部４７として、表示部４６に表示されたＧＵＩ（Ｇｒａｐｈｉｃａｌ  Ｕｓｅｒ  Ｉｎｔｅｒｆａｃｅ）を用いることも可能である。
【００４９】
制御部４８は、架台装置１０、寝台装置３０及びコンソール装置４０の動作を制御することによって、Ｘ線ＣＴ装置１の全体制御を行う。たとえば、制御部４８は、スキャン制御部４１を制御することで、架台装置１０に対して予備スキャン及びメインスキャンを実行させ、検出データを収集させる。また、制御部４８は、処理部４２を制御することで、検出データに対する各種処理（前処理、再構成処理、ＭＰＲ処理等）を行わせる。或いは、制御部４８は、表示制御部４４を制御することで、記憶部４５に記憶された画像データ等に基づき、ＣＴ画像を表示部４６に表示させる。
【００５０】
＜動作＞
次に、図４を参照して、本実施形態に係るＸ線ＣＴ装置１の動作について説明する。ここでは、一の被検体Ｅに対して５つのエキスパートプランＥＰ１〜ＥＰ５を実行する例について述べる。以下に示すＳ番号は、図４のステップ番号である。
【００５１】
Ｘ線ＣＴ装置１は、入力部４７等を介して指示入力に基づき、被検体Ｅの登録（患者登録）をする（Ｓ１０）。また、Ｘ線ＣＴ装置１は、入力部４７等を介した指示入力に基づき、被検体Ｅに対して実行される複数のエキスパートプラン（ここでは、エキスパートプランＥＰ１〜ＥＰ５）を設定する（Ｓ１１）。
【００５２】
その後、Ｘ線ＣＴ装置１は、Ｓ１１で設定されたエキスパートプランＥＰ１〜ＥＰ５に基づいて、Ｘ線スキャンを開始する（Ｓ１２）。
【００５３】
具体的には、まず、エキスパートプランＥＰ１に基づいて、Ｘ線発生部１１は、被検体Ｅに対してＸ線を曝射する。Ｘ線検出部１２は、被検体Ｅを透過したＸ線を検出し、その検出データを取得する（Ｓ１３）。Ｘ線検出部１２で検出された検出データは、データ収集部１８で収集され、処理部４２（前処理部４２ａ）に送られる。
【００５４】
前処理部４２ａは、Ｓ１３で取得された検出データに対して、対数変換処理、オフセット補正、感度補正、ビームハードニング補正等の前処理を行い、投影データを作成する（Ｓ１４）。作成された投影データは、制御部４８の制御に基づき、再構成処理部４２ｂに送られる。
【００５５】
再構成処理部４２ｂは、エキスパートプランＥＰ１に含まれる再構成処理条件Ｒ１を適用し、Ｓ１４で作成された投影データに基づいてＣＴ画像データを作成する（Ｓ１５）。
【００５６】
その後、Ｘ線ＣＴ装置１は、エキスパートプランＥＰ２〜ＥＰ５に基づいてＳ１２〜Ｓ１５と同様の処理を順次実行する（Ｓ１６でＮの場合）。
【００５７】
全てのエキスパートプランが実行された後（Ｓ１６でＹの場合）、作成部４３は、５つのエキスパートプランＥＰ１〜ＥＰ５それぞれの内容を示すプラン情報Ｐ１〜Ｐ５のリストＬを作成する（Ｓ１７）。なお、Ｓ１７の処理は、Ｓ１２〜Ｓ１５の動作と並行して行われてもよい。
【００５８】
Ｓ１７の後、各エキスパートプランを実行することにより得られた検出データ等を確認する場合、術者は入力部４７等を介してＸ線ＣＴ装置１に被検体Ｅの患者ＩＤ等を入力する。当該患者ＩＤ等に基づいて、表示制御部４４は、表示部４６に表示された生データページＲＰ上に、Ｓ１７で作成されたリストＬを表示させる（Ｓ１８）。
【００５９】
リストＬに示されるプラン情報Ｐ１〜Ｐ５は、対応するエキスパートプランＥＰ１〜ＥＰ５の内容を示すものである。従って、術者はリストＬに表示されたプラン情報Ｐ１〜Ｐ５により、被検体Ｅに対して実行されたエキスパートプランＥＰ１〜ＥＰ５を瞬時に把握できる。また、所望のプラン情報として、たとえば、プラン情報Ｐ１を選択した場合、対応するエキスパートプランＥＰ１で得られたＣＴ画像Ａ１や再構成処理条件Ｒ１を表示部４６（生データページＲＰ上）で確認することができる。
【００６０】
なお、本実施形態では、Ｘ線ＣＴ装置１の構成について説明を行ったが、本実施形態における作用を果たす構成は、Ｘ線ＣＴ装置１に限られない。たとえば、Ｘ線ＣＴ装置１で実行されたエキスパートプランＥＰｋや取得された検出データ等を、Ｘ線ＣＴ装置１とは異なる装置（たとえば、画像ビューワ等の表示装置）に送信し、その装置内で同様の処理を行うことによって、実施形態と同様の機能を実現することができる。この場合、表示装置内に、作成部４３、表示制御部４４、及び表示部４６が設けられていることが望ましい。
【００６１】
＜作用・効果＞
本実施形態の作用及び効果について説明する。
【００６２】
本実施形態のＸ線ＣＴ装置１は、被検体ＥをＸ線スキャンするスキャン条件を含むエキスパートプランＥＰｋに基づいてＸ線スキャンを行う。Ｘ線ＣＴ装置１は、作成部４３と、表示制御部４４とを有する。作成部４３は、一の被検体Ｅに対して実行された複数のエキスパートプランＥＰｋ（たとえば、エキスパートプランＥＰ１〜ＥＰ５）それぞれの内容を示すプラン情報Ｐｋ（たとえば、プラン情報Ｐ１〜Ｐ５）のリストＬを作成する。表示制御部４４は、作成されたリストＬを表示部４６に表示させる。
【００６３】
このように、エキスパートプランＥＰｋの内容を示すプラン情報Ｐｋを表示させることにより、術者は、プラン情報Ｐｋに対応するエキスパートプランＥＰｋの内容を容易に知ることができる。従って、どのエキスパートプランが実行されたかを瞬時に判断できる。また、複数のプラン情報をリストＬで表示することにより、所望のプラン情報Ｐｋに対応するエキスパートプランＥＰｋを容易に選択できる。すなわち、本実施形態におけるＸ線ＣＴ装置１によれば、実行されたエキスパートプランを瞬時に判断でき、且つ実行された複数のエキスパートプランの中から所望のエキスパートプランを容易に選択することが可能となる。
【００６４】
また、本実施形態のＸ線ＣＴ装置１は、再構成処理部４２ｂを有する。再構成処理部４２ｂは、エキスパートプランＥＰｋに含まれる再構成処理条件Ｒｋに基づいて、Ｘ線スキャンにより取得された検出データに対応する投影データを再構成処理し、ＣＴ画像データを作成する。表示制御部４４は、リストＬから所望の第１のプラン情報（たとえば、プラン情報Ｐ１）が選択された場合、第１のプラン情報に対応する第１のエキスパートプラン（第１の動作プラン。たとえば、エキスパートプランＥＰ１）によるＸ線スキャンに基づく第１のＣＴ画像（たとえば、ＣＴ画像Ａ１）を表示部４６に表示させる。また、表示制御部４４は、リストＬから所望の第１のプラン情報（たとえば、プラン情報Ｐ１）が選択された場合、第１のＣＴ画像を作成する際に使用した第１のエキスパートプランに含まれる第１の再構成処理条件（たとえば、再構成処理条件Ｒ１）を表示部４６に表示させる。
【００６５】
このように、所望のプラン情報Ｐｋが選択された場合、プラン情報Ｐｋに対応するＣＴ画像Ａｋ及び再構成処理条件Ｒｋが表示部４６に表示される。よって、選択されたプラン情報Ｐｋに対応するエキスパートプランＥＰｋにより得られたＣＴ画像Ａｋや使用された再構成処理条件Ｒｋ等を容易に確認できる。
【００６６】
また、本実施形態の構成を表示装置に応用することも可能である。そのような表示装置は、作成部４３と、表示部４６と、表示制御部４４とを含む。作成部４３は、一の被検体Ｅに対して実行された、被検体ＥをＸ線スキャンするスキャン条件を含む複数のエキスパートプランＥＰｋそれぞれの内容を示すプラン情報ＰｋのリストＬを作成する。表示制御部４４は、作成されたリストＬを表示部４６に表示させる。
【００６７】
このように、Ｘ線ＣＴ装置１の外部装置においても、エキスパートプランＥＰｋの内容を示すプラン情報Ｐｋを表示させることにより、術者は、プラン情報Ｐｋに対応するエキスパートプランＥＰｋの内容を容易に知ることができる。従って、どのエキスパートプランが実行されたかを瞬時に判断できる。また、複数のプラン情報をリストＬで表示することにより、所望のプラン情報Ｐｋに対応するエキスパートプランＥＰｋを容易に選択できる。すなわち、本実施形態における表示装置によれば、実行されたエキスパートプランを瞬時に判断でき、且つ実行された複数のエキスパートプランの中から所望のエキスパートプランを容易に選択することが可能となる。
【００６８】
（第２実施形態）
次に、図５〜図７を参照して、第２実施形態に係るＸ線ＣＴ装置１の構成について説明する。本実施形態においては、あるエキスパートプランに含まれる再構成処理条件を変更した場合に、変更した再構成処理条件を他のエキスパートプランにも適用する構成について述べる。なお、エキスパートプランに含まれる再構成処理条件の変更は、エキスパートプランへの新たな再構成処理条件の追加も含まれるものとする。また、第１実施形態と同様の構成等については、詳細な説明を省略する場合がある。
【００６９】
＜装置構成＞
図５に示すように、本実施形態におけるＸ線ＣＴ装置１は、第１実施形態と同様、架台装置１０と、寝台装置３０と、コンソール装置４０とを含んで構成されている。
【００７０】
本実施形態におけるコンソール装置４０は、変更部４９を有する。変更部４９は、入力部４７からの指示入力に基づき、表示部４６に表示された再構成処理条件Ｒｋを変更する。以下、変更された再構成処理条件Ｒｋを再構成処理条件Ｒｋ´（ｋ＝１〜ｎ）で示す。
【００７１】
このように再構成処理条件Ｒｋを自由に変更することで、再構成処理部４２ｂは、一の検出データ（投影データ）に基づいて様々なＣＴ画像データを作成することが可能となる。なお、制御部４８は、再構成処理条件Ｒｋ´及び再構成処理条件Ｒｋ´に基づいて再構成されたＣＴ画像データと、エキスパートプランＥＰｋとを関連付けて記憶部４５に記憶させることができる。
【００７２】
また、本実施形態において、表示制御部４４は、リストＬから第１のプラン情報とは異なる第２のプラン情報が選択された場合、第２のプラン情報に対応する第２のエキスパートプラン（第２の動作プラン）によるＸ線スキャンに基づく第２のＣＴ画像、及び変更された第１の再構成処理条件を表示部４６に表示させる。
【００７３】
また、本実施形態において、再構成処理部４２ｂは、リストＬから第２のプラン情報が選択された場合、第２のＣＴ画像を構成する投影データを、変更された再構成処理条件に基づいて改めて再構成処理することにより、新たなＣＴ画像データを作成する。表示制御部４４は、新たなＣＴ画像データに基づく第３のＣＴ画像を表示部４６に表示させる。
【００７４】
図６Ａ〜図６Ｃは、表示部４６に表示される生データページＲＰを示す模式図である。図６Ａ〜図６Ｃでは、生データページＲＰに表示される情報や画像のうち、一部のみを示している。なお、「Ｒｅｃｏｎ」は、再構成処理の実行を指示するためのソフトキーＫである。入力部４７等により、ソフトキーＫが選択されると、再構成処理部４２ｂは、表示部４６に表示された再構成処理条件に基づいて、再構成処理（再構成処理の再実行）を行う。また、ＣＴ画像Ａｋ´（ｋ＝１〜ｎ）は、再構成処理条件Ｒｋ´に基づく画像である。
【００７５】
術者が入力部４７等を介して所望のプラン情報Ｐ１を選択した場合、表示制御部４４は、エキスパートプランＥＰ１に対応するスキャン情報Ｓ１、ＣＴ画像Ａ１、再構成処理条件Ｒ１を表示させる（第１実施形態の図３Ｂ参照）。
【００７６】
この状態で、入力部４７を介して再構成処理条件Ｒ１の値が変更された場合、変更部４９は、変更された値に基づいて再構成処理条件Ｒ１´を生成する（図６Ａ参照）。再構成処理条件Ｒ１´が生成された後、ソフトキーＫが選択されると、再構成処理部４２ｂは、ＣＴ画像Ａ１を構成する投影データを再構成処理条件Ｒ１´で再構成処理し、ＣＴ画像データを作成する。表示制御部４４は、当該ＣＴ画像データに基づくＣＴ画像Ａ１´を表示部４６に表示させる（図６Ａ参照）。
【００７７】
ここで、本実施形態において、プラン情報Ｐ１とは異なるプラン情報Ｐ３が選択された場合、表示制御部４４は、生データページＲＰに、エキスパートプランＥＰ３に対応するスキャン情報Ｓ３、ＣＴ画像Ａ３と併せて、再構成処理条件Ｒ１´を表示させる（図６Ｂ参照）。すなわち、表示制御部４４は、先に選択されたプラン情報Ｐ１において設定された再構成処理条件Ｒ１´をプラン情報Ｐ３の再構成処理条件として引き継いて表示させる。この場合、表示制御部４４は、エキスパートプランＥＰ３に対応する再構成処理条件Ｒ３を表示させない。或いは、この場合、表示制御部４４は、再構成処理条件Ｒ１´と再構成処理条件Ｒ３とを並列で表示させてもよい。
【００７８】
再構成処理条件Ｒ１´を引き継ぐかどうかは、たとえば、術者が入力部４７を介して予め設定することができる。引き継ぐ設定の場合、表示制御部４４は、再構成処理条件Ｒ１´を表示部４６に表示させる。引き継がない設定の場合、表示制御部４４は、エキスパートプランＥＰ３に含まれる再構成処理条件Ｒ３を表示部４６に表示させる。なお、再構成処理条件Ｒｋが変更され、且つ異なるプラン情報が選択された場合、表示制御部４４は、再構成処理条件Ｒｋ´を自動で引き継ぐようにしてもよい。
【００７９】
図６Ｂの状態でソフトキーＫが選択されると、再構成処理部４２ｂは、ＣＴ画像Ａ３を構成する投影データを再構成処理条件Ｒ１´で改めて再構成処理し、新たなＣＴ画像データを作成する。表示制御部４４は、ＣＴ画像Ａ３に換えて、当該新たなＣＴ画像データに基づくＣＴ画像Ａ３´を表示部４６に表示させる（図６Ｃ参照）。なお、再構成処理条件Ｒｋが変更され、且つ異なるプラン情報が選択された場合、再構成処理部４２ｂは、異なるプラン情報の選択に基づいて、自動で再構成処理を行い、新たなＣＴ画像データを作成することも可能である。
【００８０】
上述のプラン情報Ｐ１は、「第１のプラン情報」の一例である。エキスパートプランＥＰ１は、「第１の動作プラン」の一例である。ＣＴ画像Ａ１は、「第１のＣＴ画像」の一例である。再構成処理条件Ｒ１は、「第１の再構成処理条件」の一例である。プラン情報Ｐ３は、「第２のプラン情報」の一例である。エキスパートプランＥＰ３は、「第２の動作プラン」の一例である。ＣＴ画像Ａ３は、「第２のＣＴ画像」の一例である。再構成処理条件Ｒ１´は、「変更された第１の再構成処理条件」の一例である。ＣＴ画像Ａ３´は、「第３のＣＴ画像」の一例である。
【００８１】
＜動作＞
次に、図７を参照して、本実施形態に係るＸ線ＣＴ装置１の動作について説明する。ここでは、リストＬからプラン情報Ｐ１が選択され、生データページＲＰ上にスキャン情報Ｓ１、ＣＴ画像Ａ１、再構成処理条件Ｒ１が表示された状態（第１実施形態における図３Ｂの状態）を前提として述べる。以下に示すＳ番号は、図７のステップ番号である。
【００８２】
たとえば、現在表示されているＣＴ画像Ａ１より観察し易いＣＴ画像を得たい場合、術者は、入力部４７を介して再構成処理条件Ｒ１の値を変更する。変更部４９は、入力部４７からの指示入力にもとづいて再構成処理条件Ｒ１を変更し、再構成処理条件Ｒ１´を生成する（Ｓ２０）。
【００８３】
Ｓ２０の状態でソフトキーＫが選択された場合、再構成処理部４２ｂは、ＣＴ画像Ａ１を構成する投影データを再構成処理条件Ｒ１´に基づいて改めて再構成処理し、ＣＴ画像データを作成する。表示制御部４４は、当該ＣＴ画像データに基づくＣＴ画像Ａ１´を表示部４６に表示させる（Ｓ２１。図６Ａ参照）。
【００８４】
その後、術者により、生データページＲＰ上でプラン情報Ｐ１とは異なるプラン情報Ｐ３が選択されたとする（Ｓ２２）。この時点では、表示制御部４４は、生データページＲＰ上にＣＴ画像Ａ３を表示させる。
【００８５】
ここで、Ｓ２０で生成された再構成処理条件Ｒ１´を引き継ぐ場合（Ｓ２３でＹの場合）、表示制御部４４は、再構成処理条件Ｒ１´を表示部４６に表示させる（Ｓ２４。図６Ｂ参照）。
【００８６】
更に、ソフトキーＫが選択されると、再構成処理部４２ｂは、ＣＴ画像Ａ３を構成する投影データを再構成処理条件Ｒ１´で改めて再構成処理し、新たなＣＴ画像データを作成する。表示制御部４４は、ＣＴ画像Ａ３に換えて、当該新たなＣＴ画像データに基づくＣＴ画像Ａ３´を表示部４６に表示させる（Ｓ２５。図６Ｃ参照）。
【００８７】
一方、Ｓ２０で生成された再構成処理条件Ｒ１´を引き継がない場合（Ｓ２３でＮの場合）、表示制御部４４は、プラン情報Ｐ３に対応するエキスパートプランＥＰ３に含まれる再構成処理条件Ｒ３を表示部４６に表示させる（Ｓ２６）。
【００８８】
＜作用・効果＞
本実施形態の作用及び効果について説明する。
【００８９】
本実施形態のＸ線ＣＴ装置１は、変更部４９を有する。変更部４９は、表示部４６に表示された第１の再構成処理条件（たとえば、再構成処理条件Ｒ１）を変更する。表示制御部４４は、リストＬから第１のプラン情報（たとえば、プラン情報Ｐ１）とは異なる第２のプラン情報（たとえば、プラン情報Ｐ３）が選択された場合、第２のプラン情報に対応する第２のエキスパートプラン（第２の動作プラン。たとえば、エキスパートプランＥＰ３）によるＸ線スキャンに基づく第２のＣＴ画像（たとえば、ＣＴ画像Ａ３）、及び変更された第１の再構成処理条件（たとえば、再構成処理条件Ｒ１´）を表示部４６に表示させる。
【００９０】
また、本実施形態のＸ線ＣＴ装置１は、リストＬから第２のプラン情報（たとえば、プラン情報Ｐ３）が選択された場合、再構成処理部４２ｂは、第２のＣＴ画像（たとえば、ＣＴ画像Ａ３）を構成する投影データを、変更された第１の再構成処理条件（たとえば、再構成処理条件Ｒ１´）に基づいて改めて再構成処理することにより、新たなＣＴ画像データを作成する。表示制御部４４は、当該新たなＣＴ画像データに基づく第３のＣＴ画像（たとえば、ＣＴ画像Ａ３´）を表示部４６に表示させる。
【００９１】
このように、異なるプラン情報を選択した場合、先のプラン情報において変更された再構成処理条件を引き継ぐことで、複数のエキスパートプランＥＰｋにより得られた異なる検出データに対して同様の条件で再構成処理を実行することができる。従って、プラン情報を選択する都度、再構成処理条件を設定しなくとも、所望の再構成処理条件を適用することができる。すなわち、本実施形態におけるＸ線ＣＴ装置１によれば、第１実施形態の効果に加え、複数のエキスパートプランにまたがる再構成処理条件の設定が容易になる。
【００９２】
（変形例１）
第２実施形態においては、変更した再構成処理条件を引き継ぐ例について述べたが、再構成処理条件の引き継ぎはこれに限られない。すなわち、あるプラン情報における再構成処理条件を変更することなく、他のプラン情報に適用したい場合もありうる。
【００９３】
たとえば、第１実施形態における図３Ｂの状態において、再構成処理条件Ｒ１を変更することなく、プラン情報Ｐ３に対応するエキスパートプランＥＰ３に基づく再構成処理にも適用したい場合について述べる。
【００９４】
リストＬからプラン情報Ｐ１とは異なるプラン情報Ｐ３が選択された場合、表示制御部４４は、プラン情報Ｐ３に対応するエキスパートプランＥＰ３によるＸ線スキャンに基づくＣＴ画像Ａ３、及び引き継いだ再構成処理条件Ｒ１を表示部４６に表示させる（図８Ａ参照）。
【００９５】
そして、再構成処理部４２ｂは、ＣＴ画像Ａ３を構成する投影データを、再構成処理条件Ｒ１に基づいて改めて再構成処理することにより、新たなＣＴ画像データを作成する。表示制御部４４は、当該新たなＣＴ画像データに基づくＣＴ画像Ａ３´´を表示部４６に表示させる（図８Ｂ参照）。ＣＴ画像Ａ３´´は、「第３のＣＴ画像」の一例である。
【００９６】
（変形例２）
第２実施形態においては、表示制御部４４が、ＣＴ画像Ａ３に換えて、新たなＣＴ画像データに基づくＣＴ画像Ａ３´を表示部４６に表示させる例について述べた。一方、表示制御部４４は、これらのＣＴ画像を一の画面に表示させることも可能である。
【００９７】
たとえば、表示制御部４４は、再構成処理条件Ｒ３に基づくＣＴ画像Ａ３（第２のＣＴ画像）と再構成処理条件Ｒ１´に基づくＣＴ画像Ａ３´（第３のＣＴ画像）とを表示部４６に並列表示させる（図９参照）。なお、表示制御部４４は、再構成処理条件Ｒ１に基づくＣＴ画像Ａ１（第１のＣＴ画像）と再構成処理条件Ｒ１´に基づくＣＴ画像Ａ１´とを表示部４６に並列表示させることも可能である。
【００９８】
このように、同じ投影データに対して異なる再構成処理条件を適用して得られる複数のＣＴ画像を表示部４６に並べて表示させることで、投影データに対する最適な再構成処理条件の決定等が可能となる。
【００９９】
（変形例３）
第２実施形態において、Ｘ線ＣＴ装置１は、変更された再構成処理条件の引き継ぎ動作モードとして、自動引き継ぎモード（第１のモード）及び手動引き継ぎモード（第２のモード）を備えてもよい。ここで、自動引き継ぎモードは、変更された再構成処理条件について所定の引き継ぎ条件に基づき引き継ぎ可能か否かを判別し、引き継ぎ可能と判断されたとき、変更された再構成処理条件を、他のプラン情報に引き継ぐモードである。これに対して、手動引き継ぎモードは、たとえば入力部４７等からの指示入力に基づいて、変更された再構成処理条件を他のプラン情報に引き継ぐモードである。従って、Ｘ線ＣＴ装置１は、設定された引き継ぎ動作モードに応じて、変更された再構成処理条件を他のプラン情報に引き継ぐことが可能となる。
【０１００】
図１０を参照して、変形例３に係るＸ線ＣＴ装置１の動作について説明する。ここでは、図７と同様に、リストＬからプラン情報Ｐ１が選択され、生データページＲＰ上にスキャン情報Ｓ１、ＣＴ画像Ａ１、再構成処理条件Ｒ１が表示された状態（第１実施形態における図３Ｂの状態）を前提として述べる。以下に示すＳ番号は、図１０のステップ番号である。
【０１０１】
たとえば、現在表示されているＣＴ画像Ａ１より観察し易いＣＴ画像を得たい場合、術者は、入力部４７を介した指示入力により再構成処理条件Ｒ１の値を変更する。変更部４９は、入力部４７からの指示入力に基づいて再構成処理条件Ｒ１を変更し、再構成処理条件Ｒ１´を生成する（Ｓ３０）。
【０１０２】
Ｓ３０の状態でソフトキーＫが選択された場合、再構成処理部４２ｂは、ＣＴ画像Ａ１を構成する投影データを再構成処理条件Ｒ１´に基づいて改めて再構成処理し、ＣＴ画像データを作成する。表示制御部４４は、当該ＣＴ画像データに基づくＣＴ画像Ａ１´を表示部４６に表示させる（Ｓ３１）。
【０１０３】
その後、術者により、生データページＲＰ上でプラン情報Ｐ１とは異なるプラン情報Ｐ３が選択されたとする（Ｓ３２）。この時点では、表示制御部４４は、生データページＲＰ上にＣＴ画像Ａ３を表示させる。
【０１０４】
ここで、Ｓ３３に先立って、Ｘ線ＣＴ装置１（制御部４８）に対し、上記の引き継ぎ動作モードが事前に設定されているものとする。自動引き継ぎモードが事前に設定されている場合（Ｓ３３でＹの場合）、制御部４８又は表示制御部４４は、Ｓ３０で生成された再構成処理条件Ｒ１´をＳ３２で選択されたプラン情報に引き継ぎ可能か否かをチェックする（Ｓ３４）。Ｓ３４では、たとえば、エキスパートプラン名、プラン情報（Ｓ３２で選択されたプラン情報）、スキャン時のパラメータ、及び再構成処理時のパラメータの少なくとも１つに基づいて、変更された再構成処理条件が、Ｓ３２で選択された引き継ぎ対象のプラン情報に引き継ぎ可能か否かがチェックされる。
【０１０５】
Ｓ３４におけるチェックの結果、引き継ぎ可能と判断された場合（Ｓ３５でＹの場合）、表示制御部４４は、Ｓ３０で生成された再構成処理条件Ｒ１´を表示部４６に表示させる（Ｓ３６）。
【０１０６】
更に、ソフトキーＫが選択されると、再構成処理部４２ｂは、ＣＴ画像Ａ３を構成する投影データを再構成処理条件Ｒ１´で改めて再構成処理し、当該新たなＣＴ画像データを作成する。表示制御部４４は、ＣＴ画像Ａ３に換えて、当該新たなＣＴ画像データに基づくＣＴ画像Ａ３´を表示部４６に表示させる（Ｓ３７）。
【０１０７】
一方、Ｓ３４におけるチェックの結果、引き継ぎ可能と判断されなかった場合（Ｓ３５でＮの場合）、表示制御部４４は、Ｓ３２で選択されたプラン情報Ｐ３に対応するエキスパートプランＥＰ３に含まれる再構成処理条件Ｒ３を表示部４６に表示させる（Ｓ３８）。
【０１０８】
また、Ｓ３３で手動引き継ぎモードが事前に設定されている場合（Ｓ３３でＮの場合）、入力部４７からの指示入力に基づいて、Ｓ３０で生成された再構成処理条件Ｒ１´を引き継ぐか否かが判別される。入力部４７からの指示入力に基づいて、Ｓ３０で生成された再構成処理条件Ｒ１´を引き継ぐ場合（Ｓ３９でＹの場合）、表示制御部４４は、再構成処理条件Ｒ１´を表示部４６に表示させる（Ｓ３６）。
【０１０９】
これに対し、入力部４７からの指示入力に基づいて、Ｓ３０で生成された再構成処理条件Ｒ１´を引き継がない場合（Ｓ３９でＮの場合）、表示制御部４４は、プラン情報Ｐ３に対応するエキスパートプランＥＰ３に含まれる再構成処理条件Ｒ３を表示部４６に表示させる（Ｓ３８）。
【０１１０】
このように、変更された再構成処理条件に応じて、他のプラン情報に引き継ぐようにしたり、引き継がないようにしたりすることが可能となり、再構成処理条件の変更に伴う操作性の向上が可能となる。
【０１１１】
＜実施形態に共通の効果＞
以上述べた少なくともひとつの実施形態のＸ線ＣＴ装置によれば、複数のエキスパートプランそれぞれの内容を示すプラン情報をリストで表示することにより、実行されたエキスパートプランを瞬時に判断でき、且つ実行された複数のエキスパートプランの中から所望のエキスパートプランを容易に選択することが可能となる。なお、第１実施形態と第２実施形態を適宜組み合わせることも可能である。
【０１１２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１３】
１  Ｘ線ＣＴ装置
１０  架台装置
１１  Ｘ線発生部
１２  Ｘ線検出部
１３  回転体
１３ａ  開口部
１４  高電圧発生部
１５  架台駆動部
１６  Ｘ線絞り部
１７  絞り駆動部
１８  データ収集部
３０  寝台装置
３２  寝台駆動部
３３  寝台天板
３４  基台
４０  コンソール装置
４１  スキャン制御部
４２  処理部
４２ａ  前処理部
４２ｂ  再構成処理部
４２ｃ  レンダリング処理部
４３  作成部
４４  表示制御部
４５  記憶部
４６  表示部
４７  入力部
４８  制御部
【図１】
2014061271.tif 000003
【図２】
2014061271.tif 000004
【図３Ａ】
2014061271.tif 000005
【図３Ｂ】
2014061271.tif 000006
【図３Ｃ】
2014061271.tif 000007
【図４】
2014061271.tif 000008
【図５】
2014061271.tif 000009
【図６Ａ】
2014061271.tif 000010
【図６Ｂ】
2014061271.tif 000011
【図６Ｃ】
2014061271.tif 000012
【図７】
2014061271.tif 000013
【図８Ａ】
2014061271.tif 000014
【図８Ｂ】
2014061271.tif 000015
【図９】
2014061271.tif 000016
【図１０】
2014061271.tif 000017